(57)【要約】【課題】狭ピッチの場合でも高開口率を確保し、高コントラスト且つ縦クロストークを低減した横電界方式のアクティブマトリクス型液晶表示装置を提供する。【解決手段】映像信号配線２０４上に略土手状に第３の絶縁膜２０８を形成し、その上を共通電極２１０で覆う構造を持つ液晶表示装置において、共通電極２１０の映像信号配線２０４エッジからの張り出し部の下且つ映像信号配線２０４より下層に遮光電極２１３を配置形成する。これにより、段差部脇からの光漏れを遮光し、高開口率且つ高コントラストの液晶表示装置を実現する。【選択図】図１
2005195927.tif 000002
【特許請求の範囲】
【請求項１】
複数の走査信号配線、該走査信号配線に並行する複数の共通信号配線、前記走査信号配線および前記共通信号配線と交差する複数の映像信号配線および前記各信号配線の交点に対応して形成された薄膜トランジスタを有する第１の基板と、該第１の基板に対向する第２の基板と、前記第１の基板および前記第２の基板に狭持される液晶層を含み、前記第１の基板上の前記走査信号配線および前記映像信号配線で囲まれる領域に画素が形成され、該各画素に対応する前記薄膜トランジスタに接続されている画素電極および前記複数の画素に亘って基準電位を与える共通電極を有する横電界方式の液晶表示装置において、
前記映像信号配線上に略土手状の絶縁膜を形成し、該絶縁膜の上を前記共通電極で覆い、更に前記映像信号配線より下層に遮光電極が形成されることを特徴とする液晶表示装置。
【請求項２】
前記遮光電極は、前記映像信号配線の両側に配置され、他の信号電極と電気的に接続されていないことを特徴とする請求項１に記載の液晶表示装置。
【請求項３】
前記遮光電極は、前記映像信号配線の両側に配置され、前記共通信号配線と電気的に接続されていることを特徴とする請求項１に記載の液晶表示装置。
【請求項４】
前記遮光電極は、前記映像信号配線の片側に配置され、他の信号電極と電気的に接続されていないことを特徴とする請求項１に記載の液晶表示装置。
【請求項５】
前記遮光電極は、前記映像信号配線の片側に配置され、前記共通信号配線と電気的に接続されていることを特徴とする請求項１に記載の液晶表示装置。
【請求項６】
前記遮光電極が配置されるのは、前記映像信号配線に対して、第１の基板をラビング処理する際のラビングの入口側にあたる側のみであることを特徴とする請求項４又は５に記載の液晶表示装置。
【請求項７】
前記映像信号配線が前記共通電極によって覆われた領域において、前記共通電極が前記映像信号配線のエッジから張り出した幅が４μｍ以上であることを特徴とする請求項１乃至６の何れかに記載の液晶表示装置。
【請求項８】
前記第２の基板上の、前記映像信号配線と対向する位置において、異なる色層同士が重ねられ且つブラックマトリクス層を有しないことを特徴とする請求項１乃至７の何れかに記載の液晶表示装置。
【請求項９】
前記第１の基板において、前記映像信号配線、前記画素電極、前記共通電極、前記略土手状に形成された絶縁層がジグザグ状に屈曲していることを特徴とする請求項１乃至８の何れかに記載の液晶表示装置。
【請求項１０】
前記第１の基板上において、前記映像信号配線の屈曲形状に合わせて、前記第２の基板上において色層が屈曲していることを特徴とする請求項９に記載の液晶表示装置。
【請求項１１】
前記第１の基板上において、前記遮光電極が前記映像信号配線の片側のみに配置され、該配置される側が前記映像信号配線のジグザグに対して、ラビング入口側に配置されることを特徴とする請求項９に記載の液晶表示装置。
【請求項１２】
前記第１の基板上において、前記映像信号配線の屈曲頂点毎に配置される側が変わる前記遮光電極は、前記映像信号配線と交差するように互いに接続され、前記共通信号配線と電気的に接続されていることを特徴とする請求項９に記載の液晶表示装置。
【請求項１３】
前記映像信号配線が前記共通電極により完全に覆われた領域において、前記映像信号配線上の前記略土手状に形成された絶縁膜の幅は、前記映像信号配線の幅よりも大きく且つ前記共通電極の幅より小さいことを特徴とする請求項１乃至１２の何れかに記載の液晶表示装置。
【発明の詳細な説明】
【技術分野】
【０００１】
本発明は液晶表示装置に関し、特に高開口率且つ高コントラストを可能にする横電界方式のアクティブマトリクス型液晶表示装置に関する。
【背景技術】
【０００２】
従来から広く用いられているＴＮ（Twisted Nematic）方式は、高コントラストである反面、液晶の分子軸が垂直電界により立ち上がることから、視角依存性が著しいという問題があった。近年では、ＴＶ等の大型モニタ向けの需要が高まっており、ＩＰＳ（In-Plane
Switching）方式の採用が広がっている。ＩＰＳ方式は、液晶の分子軸を横電界により基板に対して平行な面内で回転させて表示を行う。分子軸の立ち上がり角に対する視角依存性がなくなるため、ＴＮ方式よりも視角特性が大幅に改善される。
【０００３】
ＩＰＳ方式の液晶表示装置は視角特性が改善されるが、次の如き課題もある。即ち、画素電極と共通電極を櫛歯状に配置して横電界を印加するため、電極の面積が表示領域に占める割合が高く、低開口率となってしまう。また、横電界で駆動するという方式上、映像信号配線からの漏れ電界により表示領域の液晶分子が影響を受け、縦クロストークが発生しやすい。
【０００４】
上述の如き問題に対する幾つかの解決策が提案されており、その１つは、図１０を参照して説明する従来の液晶表示装置に開示されている（例えば、特許文献１参照。）。図１０において、（Ａ）は平面図、（Ｂ）は指定箇所の断面図を示す。第１の金属層からなる走査信号配線１００１およびこれと並行する共通信号配線１００２が形成されている。走査信号配線１００１および共通信号配線１００２上に第１の絶縁膜１００３が形成され、この第１の絶縁膜１００３上に第２の金属層からなる映像信号配線１００４、薄膜トランジスタ１００５およびソース電極１００６が形成される。映像信号配線１００４、薄膜トランジスタ１００５、ソース電極１００６上に第２の絶縁膜１００７が形成され、更に第２の絶縁膜１００７上に透明な第３の絶縁膜１００８を全面塗布されている。この第３の絶縁膜１００８上に透明電極からなる画素電極１００９および共通電極１０１０が形成される。映像信号配線１００４は、第２の絶縁膜１００７および第３の絶縁膜１００８を介して共通信号配線１００２により完全に覆われている。画素電極１００９および共通電極１０１０は、コンタクトホール１０１１、１０１２を介してそれぞれソース電極１００６および共通信号配線１００２と電気的に接続されている。
【０００５】
このように、櫛歯状に配置された画素電極１００９および共通電極１０１０が共に透明電極で形成されているため、電極上の領域も透過率に寄与する。シミュレーションによれば、透明電極上の寄与分を考慮すると実効開口率は約８％改善される。映像信号配線上を共通電極により完全に覆う構造のため、映像信号配線付近まで開口部を広げることができる。同時に、映像信号配線からの漏れ電界が共通電極によりシールドされるため、縦クロストークの低減効果もある。尚、斯かる構成は、映像信号配線および共通電極の間で負荷容量を発生させるが、低誘電率の絶縁膜を介しているため、駆動上問題ない範囲に抑えることができる。
【０００６】
また、図１１に示す別の解決策による液晶表示装置が開示されている（例えば、特許文献２参照。）。図１１において、（Ａ）は平面図、（Ｂ）は指定箇所の断面図を示す。第１の金属層からなる走査信号配線１１０１およびこれと並行する共通信号配線１１０２が形成されている。走査信号配線１１０１および共通信号配線１１０２上に第１の絶縁膜１１０３が形成されている。この第１の絶縁膜１１０３上に第２の金属層からなる映像信号配線１１０４、薄膜トランジスタ１１０５およびソース電極１１０６が形成される。映像信号配線１１０４、薄膜トランジスタ１１０５およびソース電極１１０６上に第２の絶縁膜１１０７が形成され、更に第２の絶縁膜１１０７上に第３の絶縁膜１１０８が塗布されている。この第３の絶縁膜１１０８を映像信号配線１１０４上にのみ残るよう土手状に形成した後、透明電極からなる画素電極１１０９および共通電極１１１０が形成される。映像信号配線１１０４は、第２の絶縁膜１１０７および土手状に形成された第３の絶縁膜１１０８を介して共通電極１１１０により完全に覆われている。画素電極１１０９および共通電極１１１０は、コンタクトホール１１１１、１１１２を介してそれぞれソース電極１１０６および共通信号配線１１０２と電気的に接続されている。
【０００７】
上述した特許文献１に開示されている解決策との相違点は、第３の絶縁膜１１０８を映像信号配線１１０４上にのみ残るよう土手状に形成していることであり、実効開口率等の性能では同等である。しかし、この解決策によれば、開口部上に第３の絶縁膜１１０８が残らないため、第３の絶縁膜１１０８として着色した膜を使用することが可能となる。全面塗布の場合には、第３の絶縁膜１１０８は必然的に透明でなければならないが、例えばアクリル有機膜等は高価である。ノボラック有機膜等の着色した膜は安価であるので、同等の性能を低コストで実現可能である。
【０００８】
しかし、上述した従来技術にも別の課題がある。特許文献１に開示の如く透明絶縁膜を全面塗布した構造では、映像信号配線からの漏れ電界を十分にシールドするために、共通電極が映像信号配線のエッジから張り出した幅が最低６μｍ必要であることが実験的に分っている。一方、特許文献２に開示の技術では、映像信号電極を囲い込む断面形状になるため、電界シールド効果が高くなるが、特許文献１に開示の技術と同様に画素電極および共通電極が共に最上層に形成されているため、コンタクトホールが１画素当たり少なくとも２個必要となる。いずれの場合も狭ピッチになるほど共通電極の張り出し部、コンタクトホールが画素内で占める割合が大きくなり、開口率を高くする効果が小さくなってしまう。また、狭ピッチになるほど映像信号配線からの漏れ電界の影響も大きくなり、縦クロストークの低減効果が弱くなる。
【０００９】
これに対する解決手段として、図１２に示す従来の液晶表示装置が開示されている（例えば、特許文献３参照。）。図１２において、（Ａ）は平面図、（Ｂ）は指定箇所の断面図を示す。第１の基板上に第１の金属層からなる走査信号配線１２０１およびこれと並行する共通信号配線１２０２が形成されている。走査信号配線１２０１および共通信号配線１２０２上に第１の絶縁膜１２０３が形成されている。この第１の絶縁膜１２０３上に第２の金属層からなる映像信号配線１２０４、薄膜トランジスタ１２０５およびソース電極と一体化した画素電極１２０６が形成される。これにより画素電極１２０６のコンタクトホールは不要となる。映像信号配線１２０４、薄膜トランジスタ１２０５およびソース電極と一体化した画素電極１２０６上に第２の絶縁膜１２０７が形成され、更に記第２の絶縁膜１２０７上に第３の絶縁膜１２０８が全面塗布されている。ここで、第３の絶縁膜１２０８上に透明電極からなる共通電極が形成されると、異層櫛歯配線であるため駆動電圧が大幅に高くなってしまう。従って、映像信号配線１２０４上にのみ負荷容量低減の目的で第３の絶縁膜１２０８が残るよう土手状に形成する。その後、透明電極からなる共通電極１２１０を形成する。共通電極１２１０は、コンタクトホール１２１２を介して共通信号配線１２０２と電気的に接続されている。特許文献２の従来技術と同様に、第３の絶縁膜１２０８は、透明でも着色していてもよい。
【００１０】
特許文献２の開示技術と同様に、映像信号配線は第２の絶縁膜と土手状に形成された第３の絶縁膜を介して共通電極により完全に覆われている。特許文献２の開示技術と同様に、映像信号配線は共通電極により囲い込まれた断面形状になっているため、映像信号配線からの漏れ電界のシールド効果は、特許文献１の開示技術より強い。映像信号配線からの漏れ電界を十分にシールドするには、共通電極が映像信号配線のエッジから張り出した幅が４μｍあればよいことが実験的に分かっている。
【００１１】
上述の如く、コンタクトホールが１つ減り、共通電極の映像信号配線エッジからの張り出し幅も小さくできるため、高開口率を得ることができる。画素電極を金属電極で形成するため、透明電極上の寄与分は従来例よりは少なくなるが、シミュレーションによれば、実効開口率は約５％上がる。総合的すると特許文献１および２の技術より高開口率となり、縦クロストークも抑制できる。
【００１２】
上述の如く、特許文献１乃至特許文献３の開示技術のように、映像信号線およびこれを覆う共通電極間の第３の絶縁膜を、映像信号線に沿って土手状に形成することにより、低コスト化および高開口率化が実現可能である。
【特許文献１】特開２００２−３２３７０６号公報（第２０頁カラム３８、３２行〜第２８頁カラム５３、５０行、図１−２）
【特許文献２】特願２００３−０７６１６９（第１０頁４行〜第１３頁２８行、図１２−１３）
【特許文献３】特願２００２−１６４６８１（第４６頁４行〜、図２３）
【発明の開示】
【発明が解決しようとする課題】
【００１３】
しかし、このように高開口率化の性能向上のために、映像信号配線上にのみ土手状に第３の絶縁膜を残すと、この部分で段差が大きくなり、この部分でラビング時の配向が不均一となり、初期配向が乱れる。これは、黒表示時の段差部脇の光漏れとして観察される。ＩＰＳ方式は、ノーマリーブラック駆動であるため、この初期配向乱れは、黒表示時に第３の絶縁膜の段差近傍での光漏れの原因となり、黒輝度が上昇してコントラストの低下を招くという課題がある。
【課題を解決するための手段】
【００１４】
前述の課題を解決するため、本発明による液晶表示装置は、次のような特徴的な構成を採用している。
【００１５】
（１）複数の走査信号配線、該走査信号配線に並行する複数の共通信号配線、前記走査信号配線および前記共通信号配線と交差する複数の映像信号配線および前記各信号配線の交点に対応して形成された薄膜トランジスタを有する第１の基板と、該第１の基板に対向する第２の基板と、前記第１の基板および前記第２の基板に狭持される液晶層を含み、前記第１の基板上の前記走査信号配線および前記映像信号配線で囲まれる領域に画素が形成され、該各画素に対応する前記薄膜トランジスタに接続されている画素電極および前記複数の画素に亘って基準電位を与える共通電極を有する横電界方式の液晶表示装置において、
前記映像信号配線上に略土手状の絶縁膜を形成し、該絶縁膜の上を前記共通電極で覆い、更に前記映像信号配線より下層に遮光電極が形成される液晶表示装置。
【００１６】
（２）前記遮光電極は、前記映像信号配線の両側に配置され、他の信号電極と電気的に接続されていない上記（１）に記載の液晶表示装置。
【００１７】
（３）前記遮光電極は、前記映像信号配線の両側に配置され、前記共通信号配線と電気的に接続されている上記（１）に記載の液晶表示装置。
【００１８】
（４）前記遮光電極は、前記映像信号配線の片側に配置され、他の信号電極と電気的に接続されていない上記（１）に記載の液晶表示装置。
【００１９】
（５）前記遮光電極は、前記映像信号配線の片側に配置され、前記共通信号配線と電気的に接続されている上記（１）に記載の液晶表示装置。
【００２０】
（６）前記遮光電極が配置されるのは、前記映像信号配線に対して、第１の基板をラビング処理する際のラビングの入口側にあたる側のみである上記（４）又は（５）に記載の液晶表示装置。
【００２１】
（７）前記映像信号配線が前記共通電極によって覆われた領域において、前記共通電極が前記映像信号配線のエッジから張り出した幅が４μｍ以上である上記（１）乃至（６）の何れかに記載の液晶表示装置。
【００２２】
（８）前記第２の基板上の、前記映像信号配線と対向する位置において、異なる色層同士が重ねられ且つブラックマトリクス層を有しない上記（１）乃至（７）の何れかに記載の液晶表示装置。
【００２３】
（９）前記第１の基板において、前記映像信号配線、前記画素電極、前記共通電極、前記略土手状に形成された絶縁層がジグザグ状に屈曲している上記（１）乃至（８）の何れかに記載の液晶表示装置。
【００２４】
（１０）前記第１の基板上において、前記映像信号配線の屈曲形状に合わせて、前記第２の基板上において色層が屈曲している上記（９）に記載の液晶表示装置。
【００２５】
（１１）前記第１の基板上において、前記遮光電極が前記映像信号配線の片側のみに配置され、該配置される側が前記映像信号配線のジグザグに対して、ラビング入口側に配置される上記（９）に記載の液晶表示装置。
【００２６】
（１２）前記第１の基板上において、前記映像信号配線の屈曲頂点毎に配置される側が変わる前記遮光電極は、前記映像信号配線と交差するように互いに接続され、前記共通信号配線と電気的に接続されている上記（９）に記載の液晶表示装置。
【００２７】
（１３）前記映像信号配線が前記共通電極により完全に覆われた領域において、前記映像信号配線上の前記略土手状に形成された絶縁膜の幅は、前記映像信号配線の幅よりも大きく且つ前記共通電極の幅より小さい上記（１）乃至（１２）の何れかに記載の液晶表示装置。
【発明の効果】
【００２８】
本発明の液晶表示装置によれば、映像信号線上に略土手状の絶縁膜を形成することにより高開口率化した液晶表示装置において、略土手状の絶縁膜近傍の光漏れを抑え、高コントラストで均一性の高い表示を得ることが可能であるという実用所の顕著な効果が得られる。
【実施例１】
【００２９】
以下、本発明による液晶表示装置の好適実施例の構成および動作を、添付図面を参照して詳細に説明する。先ず、図１および図２は、本発明による液晶表示装置の第１実施例を示す。本発明による液晶表示装置の第１実施例を示す図２において、（Ａ）は１画素の平面図、（Ｂ）は遮光電極の配置を明瞭にするために、共通電極および映像信号配線上に土手状に形成された第３の絶縁膜を省略した図である。尚、図１は、図２（Ａ）の映像信号配線近傍の断面図である。
【００３０】
第１の基板上に第１の金属層からなる走査信号配線２０１と、並行する共通信号配線２０２および後述する映像信号配線に隣接する両側に遮光電極２１３が形成されている。遮光電極２１３は、他の電極と電気的に接続されていない。走査信号配線２０１、共通信号配線２０２および遮光電極２１３上に第１の絶縁膜が形成され、この第１の絶縁膜上に第２の金属層からなる映像信号配線２０４、薄膜トランジスタ２０５およびソース電極と一体化した画素電極２０６が形成される。この構成により、画素電極のコンタクトホールは不要となる。
【００３１】
映像信号配線２０４、薄膜トランジスタ２０５およびソース電極と一体化した画素電極２０６上に第２の絶縁膜２０７が形成され、更に第２の絶縁膜２０７上に第３の絶縁膜２０８を塗布する。ここで、第３の絶縁膜２０８上に透明電極からなる共通電極２１０が形成されると、異層櫛歯配線であるため駆動電圧が大幅に高くなる。従って、映像信号配線２０４上のみ負荷容量低減の目的で第３の絶縁膜２０８を残し、表示領域上は除去する。第３の絶縁膜２０８は、透明又は着色いずれでもよい。例えば、誘電率３．３のアクリルを１．５μｍの膜厚で形成することが可能である。
【００３２】
その後、透明電極からなる共通電極２１０を形成する。共通電極２１０は、コンタクトホール２１２を介して共通信号配線２０２と電気的に接続されている。また、共通電極２１０の映像信号電極エッジからの張り出し幅は４μｍとした。第２の基板２１８には、図１に示す如くカラーフィルタ２１４を形成した。
【００３３】
第１の基板２１７および第２の基板２１８上に配向膜を形成し、これをラビング処理した。第１の基板２１７のラビング方向は、図２（Ａ）に矢印で示す如く、映像信号配線２０４に対して１５度斜め方向とした。また、第２の基板２１８は、図２（Ａ）の平面図上、第１の基板２１７のラビング方向と逆方向に設定した。その後に、第１の基板２１７および第２の基板２１８とは貼り合わされ、液晶２２１を封止して、第１の基板２１７および第２の基板２１８の外側にそれぞれ偏光板２１９および２２０を貼付した。偏光板２１９、２２０の偏光軸は、第１の基板２１７側の偏光板２１９の偏光軸は、液晶２２１の初期配向方向と垂直とし、第２の基板２１８側の偏光板２２０の偏光軸は液晶２２１の初期配向方向と平行とした。
【００３４】
第３の絶縁膜２０８の段差の影響でラビング時にこの部分で配向が不均一となって配向乱れが生じ、黒表示時のコントラスト低下の原因となる。しかし、本発明による液晶表示装置の第１実施例においては、この部分に遮光電極２１３が配置されているため、黒輝度を低く抑えることが可能である。また、遮光電極２１３は、例えば他の電極と接続されておらず、フローティングになっているため、他の電極に電気的な影響を及ぼすこと少なく、配線遅延等を引き起こすことがない。また、遮光電極２１３は、共通電極２１０の映像信号配線エッジからの張り出し部の下側に収まるように配置しているため、実効開口率の低下は最小限である。
【実施例２】
【００３５】
次に、図３を参照して本発明による液晶表示装置の第２実施例を説明する。尚、以下の実施例では、対応する構成要素に同様の参照符号を使用し、上述した第１実施例との相違点を中心に説明する。図３（Ａ）は１画素の平面図、（Ｂ）は遮光電極の配置を明瞭にするために、共通電極および映像信号配線上に略土手状に形成された第３の絶縁膜を省略した図である。走査信号配線３０１および共通信号配線３０２と同層であり、映像信号配線３０４の両側に遮光電極３１３を配置している。遮光電極３１３は共通信号配線３０２と接続されており、共通電位が与えられている。高い遮光効果が得られることに加えて、遮光電極３１３が共通電極３１０に接続されていることにより、映像信号配線３０４の電界をより効果的にシールドできるため、縦クロストークの低減効果が更に高い。また、共通電極３１０の映像信号配線エッジからの張り出し部下に収まるように配置しているため、実効開口率の低下は最小限である。
【実施例３】
【００３６】
次に、図４は、本発明による液晶表示装置の第３実施例を示す。図４において、（Ａ）は１画素の平面図、（Ｂ）は遮光電極の配置を明瞭にするために、共通電極および映像信号配線上に土手状に形成された第３の絶縁膜を省略した図である。走査信号配線４０１および共通信号配線４０２と同層であり、映像信号配線４０４のラビング入口側に遮光電極４１３を配置している。段差を跨ぐようにラビングする場合、条件を最適化してもラビング入口側の段差部脇光漏れは残ってしまうからである。遮光電極４１３は、他の電極と接続されておらず、フローティングになっている。
【００３７】
光漏れが発生している側のみを遮光しているため、実効開口率の低下は両側遮光よりも低減可能である。また、遮光電極４１３および映像信号配線４０４間の容量を低減できるため、共通電極配線４０２の遅延を抑制でき、これに伴う横クロストーク等を低減可能である。
【実施例４】
【００３８】
次に、図５を参照して、本発明による液晶表示装置の第４実施例を説明する。図５において、（Ａ）は１画素の平面図、（Ｂ）は、遮光電極の配置を明瞭にするために、共通電極および映像信号電極上に土手状に形成された第３の絶縁膜を省略した図である。走査信号配線５０１および共通信号配線５０２と同層であり、映像信号配線５０４のラビング入口側に遮光電極５１３を配置している。段差を跨ぐようにラビングする場合、条件を最適化してもラビング入口側の段差部脇光漏れは残ってしまうからである。遮光電極５１３は、共通信号配線５０２と接続されており、共通電位が与えられている。
【００３９】
光漏れが発生している側のみを遮光しているため、実効開口率の低下は両側遮光よりも少なくできる。また、第２の実施例ほどではないが、遮光電極５１３が共通電極に接続されているため、映像信号配線からの電界を効率よくシールド可能であり、縦クロストークを低減させる効果もある。
【実施例５】
【００４０】
次に、図６を参照して本発明による液晶表示装置の第５実施例を説明する。図６において、（Ａ）は１画素の平面図、（Ｂ）は遮光電極の配置を明瞭にするために、共通電極および映像信号電極上に土手状に形成された第３の絶縁膜を省略した図である。
【００４１】
図６に示す如く、映像信号配線６０４、画素電極６０６および共通電極６１０をジグザク状に屈曲させた、所謂マルチドメイン方式の１例である。第５実施例では、１回屈曲しているが、多数回屈曲させてもよい。ラビング方向は垂直方向となり、屈曲部頂点を境界にドメイン毎に液晶の分子軸の回転方向が異なる。この構成により、液晶を２方向に回転させることができるため、２方向に回転した液晶は互いに視野角特性を補償しあうので、更に視野角特性を向上可能である。
【００４２】
第５実施例の液晶表示装置では、ラビング入口側のみを遮光し、フローティング配置としている。映像信号配線６０４、画素電極６０６および共通電極６１０がジグザグ状に屈曲しているため、ラビング入口側は屈曲頂点毎に左右交互に変わる。従って、遮光電極６１３の配置は図６に示すようになる。尚、第５実施例は、両側遮光でフローティング配置と組み合わせてもよい。この場合には、単純に両側に電極を配置すればよい。
【実施例６】
【００４３】
次に、図７を参照して本発明による液晶表示装置の第６実施例を説明する。図７において、（Ａ）は１画素の平面図、（Ｂ）は、遮光電極の配置を明瞭にするために、共通電極および映像信号電極上に土手状に形成された第３の絶縁膜を省略し、また映像信号電極および画素電極にハッチングしていないものである。
【００４４】
図７の液晶表示装置は、映像信号配線７０４、画素電極７０６および共通電極７１０をジグザク状に屈曲させた、所謂マルチドメイン方式の１例である。第６実施例では１回屈曲になっているが、多数回屈曲させてもよい。ラビング方向は、垂直方向となり、屈曲部頂点を境界にドメイン毎に液晶の分子軸の回転方向が異なる。
【００４５】
第６実施例では、ラビング入口側のみを遮光し、共通信号配線７０２と電気的に接続されている。映像信号配線７０４、画素電極７０６および共通電極７１０がジグザグ状に屈曲しているため、ラビング入口側は屈曲頂点毎に左右交互に変わる。従って、遮光電極７１３の配置は、図示の如く屈曲部頂点で映像信号配線と交差し互いに接続されたようになる。第６実施例は、両側遮光で共通信号配線との接続と組み合わせてもよい。この場合には、単純に両側に電極を配置すればよく、映像信号電極と交差させる必要はない。
【実施例７】
【００４６】
次に、図８および図９を参照して本発明による液晶表示装置の第７実施例を説明する。図８は、１画素の平面図を示し、色層の配置を明瞭にするために、配線は走査信号配線、映像信号配線および遮光電極のみを記し且つハッチングしていない。映像信号配線、画素電極および共通電極をジグザク上に屈曲させた、所謂マルチドメイン形式において、第１の基板上の配線の屈曲形状に合わせ、第２の基板上の色層も屈曲させる。第７実施例では、遮光電極は片側遮光でフローティング配置となっているが、どの配置でもよい。
【００４７】
また、図９は、第７実施例の断面図である。図９の断面図に示す如く、第２の基板９１８上には、第１の基板９１７の映像信号配線９０４に対向する位置に、図１に示すブラックマトリクス層２１６に対応するブラックマトリクス層を設けずに、色層９１４ｒ、９１４ｇ同士が映像信号電極９０４上で相互に重なるようにする。このような構成により、マルチドメイン方式でも高開口率となる。色層同士の重なり幅は、小さくし過ぎると色抜けおよび斜め視野からの混色が発生する可能性がある。色層の重なり幅を約７μｍとしたところ、色抜けもなく、また隣接した画素間の混色も起きなかった。この構成により、第１の基板９１７および第２の基板９１８の重ね合わせ時の目ズレの影響を少なくし、更に高開口率の液晶表示装置が実現可能である。
【００４８】
以上、本発明による液晶表示装置の種々の実施例の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００４９】
【図１】本発明による液晶表示装置の第１実施例の映像信号配線付近の断面図である。
【図２Ａ】本発明による液晶表示装置の第１実施例の詳細構成を示し、１画素の平面図である。
【図２Ｂ】本発明による液晶表示装置の第１実施例の詳細構成を示し、共通電極および略土手状に形成された第３の絶縁膜を省略した１画素の平面図である。
【図３Ａ】本発明による液晶表示装置の第２実施例の詳細構成を示し、１画素の平面図である。
【図３Ｂ】本発明による液晶表示装置の第２実施例の詳細構成を示し、共通電極および略土手状に形成された第３の絶縁膜を省略した１画素の平面図である。
【図４Ａ】本発明による液晶表示装置の第３実施例の詳細構成を示し、１画素の平面図である。
【図４Ｂ】本発明による液晶表示装置の第３実施例の詳細構成を示し、共通電極および略土手状に形成された第３の絶縁膜を省略した１画素の平面図である。
【図５Ａ】本発明による液晶表示装置の第４実施例の詳細構成を示し、１画素の平面図である。
【図５Ｂ】本発明による液晶表示装置の第４実施例の詳細構成を示し、共通電極および略土手状に形成された第３の絶縁膜を省略した１画素の平面図である。
【図６Ａ】本発明による液晶表示装置の第５実施例の詳細構成を示し、１画素の平面図である。
【図６Ｂ】本発明による液晶表示装置の第５実施例の詳細構成を示し、共通電極および略土手状に形成された第３の絶縁膜を省略した１画素の平面図である。
【図７Ａ】本発明による液晶表示装置の第６実施例の詳細構成を示し、１画素の平面図である。
【図７Ｂ】本発明による液晶表示装置の第６実施例の詳細構成を示し、共通電極および略土手状に形成された第３の絶縁膜を省略し且つ映像信号電極および画素電極にハッチングしていない１画素の平面図である。
【図８】本発明による液晶表示装置の第７実施例の走査信号配線、映像信号配線および遮光電極のみを示し且つハッチングしていない１画素の平面図である。
【図９】本発明による液晶表示装置の第８実施例の映像信号配線付近の断面図である。
【図１０Ａ】液晶表示装置の第１従来例を示し、１画素の平面図である。
【図１０Ｂ】液晶表示装置の第１従来例を示し、１画素の断面図である。
【図１１Ａ】液晶表示装置の第２従来例を示し、１画素の平面図である。
【図１１Ｂ】液晶表示装置の第２従来例を示し、１画素の断面図である。
【図１２Ａ】液晶表示装置の第３従来例を示し、１画素の平面図である。
【図１２Ｂ】液晶表示装置の第３従来例を示し、１画素の断面図である。
【符号の説明】
【００５０】
２０１、３０１、４０１、５０１、６０１、７０１、８０１…走査信号配線
２０２、３０２、４０２、５０２、６０２、７０２、８０２…共通信号配線
２０３、９０３…第１の絶縁膜
２０４、３０４、４０４、５０４、６０４、７０４、８０４、９０４…映像信号配線
２０５、３０５、４０５、５０５、６０５、７０５…薄膜トランジスタ
２０６、３０６、４０６、５０６、６０６、７０６、９０６…ソース電極およびソース電極と一体化した画素電極
２０７、９０７…第２の絶縁膜
２０８、３０８、４０８、５０８、６０８、７０８、９０８…第３の絶縁膜
１００９、１１０９…画素電極
２１０、３１０、４１０、５１０、６１０、７１０、９１０…共通電極
２１２、３１２、４１２、５１２、５１２、６１２、７１２…上層共通電極−下層共通信号配線間コンタクトホール
２１３、３１３、４１３、５１３、６１３、７１３、８１３、９１３…遮光電極
２１４ｒ、２１４ｇ、８１４、９１４ｒ、９１４ｇ…色層
２１５、９１５…オーバーコート膜
２１６…ブラックマトリクス層
２１７、９１７…第１の基板
２１８、９１８…第２の基板
２１９、２２０、９１９、９２０…偏光板
２２１、９２１…液晶
【図１】
2005195927.tif 000003
【図２Ａ】
2005195927.tif 000004
【図２Ｂ】
2005195927.tif 000005
【図３Ａ】
2005195927.tif 000006
【図３Ｂ】
2005195927.tif 000007
【図４Ａ】
2005195927.tif 000008
【図４Ｂ】
2005195927.tif 000009
【図５Ａ】
2005195927.tif 000010
【図５Ｂ】
2005195927.tif 000011
【図６Ａ】
2005195927.tif 000012
【図６Ｂ】
2005195927.tif 000013
【図７Ａ】
2005195927.tif 000014
【図７Ｂ】
2005195927.tif 000015
【図８】
2005195927.tif 000016
【図９】
2005195927.tif 000017
【図１０Ａ】
2005195927.tif 000018
【図１０Ｂ】
2005195927.tif 000019
【図１１Ａ】
2005195927.tif 000020
【図１１Ｂ】
2005195927.tif 000021
【図１２Ａ】
2005195927.tif 000022
【図１２Ｂ】
2005195927.tif 000023